(57)【特許請求の範囲】
【請求項１】
被写体に対し、励起光および照明光を照射する照明部と、
該照明部からの励起光の照射により前記被写体において発生した蛍光を撮影し蛍光画像を取得する蛍光撮像部と、
該蛍光撮像部により取得された蛍光画像を記憶する記憶部と、
前記照明部からの照明光の照射により前記被写体から戻る戻り光を撮影し戻り光画像を取得する戻り光撮像部と、
該戻り光撮像部により取得された戻り光画像から、被写体に照射された照明光の強度を表す画像情報を抽出する画像情報抽出部と、
該画像情報抽出部により抽出された画像情報に基づいて照明光の強度が高いほど少なく積算枚数を設定する積算枚数設定部と、
該積算枚数設定部により設定された積算枚数分だけ前記記憶部に記憶されている蛍光画像を平均して平均画像を生成する平均画像生成部とを備える蛍光内視鏡装置。
【請求項２】
前記画像情報抽出部が、前記戻り光画像内の複数の画素の平均階調値を前記画像情報として抽出する請求項１に記載の蛍光内視鏡装置。
【請求項３】
前記画像情報抽出部が、前記戻り光画像の隣接画素の階調値が所定の閾値を超えて変化している箇所を表す特徴線の延長を抽出することで、前記被写体に照射された照明光の強度を表す前記画像情報を抽出する請求項１に記載の蛍光内視鏡装置。
【請求項４】
前記画像情報抽出部が、前記戻り光画像を横切る直線に沿う階調値分布を前記画像情報として抽出する請求項１に記載の蛍光内視鏡装置。
【請求項５】
前記画像情報抽出部が、前記戻り光画像を横切る複数の直線に沿う階調値分布を平均して前記画像情報として抽出する請求項１に記載の蛍光内視鏡装置。
【請求項６】
前記蛍光撮像部により取得された一の蛍光画像と該一の蛍光画像より以前に取得された他の蛍光画像との変化量を算出する変化量算出部を備え、
前記記憶部が、前記変化量算出部により算出された変化量が少ないほど大きな重み係数を前記一の蛍光画像に乗算して記憶する請求項１から請求項５のいずれかに記載の蛍光内視鏡装置。
【請求項７】
前記変化量算出部が、前記一の蛍光画像と前記他の蛍光画像との差分画像の階調値の合計を変化量として算出する請求項６に記載の蛍光内視鏡装置。
【請求項８】
前記変化量算出部が、前記一の蛍光画像の特徴線の延長と前記他の蛍光画像間の特徴線の延長との差を変化量として算出する請求項６に記載の蛍光内視鏡装置。
【請求項９】
前記変化量算出部が、前記一の蛍光画像と前記他の蛍光画像間との差分画像の階調値の合計が閾値以下のとき、前記一の蛍光画像の特徴線と前記他の蛍光画像の特徴線との差を変化量として算出する請求項６に記載の蛍光内視鏡装置。
【発明の詳細な説明】
【技術分野】
【０００１】
本発明は、蛍光内視鏡装置に関するものである。
【背景技術】
【０００２】
従来、蛍光物質励起用の波長帯域と通常観察用の波長帯域の光が回転フィルタによって切り替えられながら照射されることにより、観察対象の蛍光画像と反射光画像とを取得し、双方の画像を適当な明るさで観察する蛍光内視鏡装置が知られている（例えば、特許文献１参照。）。この蛍光内視鏡装置は、蛍光観察か否かに応じて液晶の絞りおよび露光時間を変更し、ＣＣＤにより撮像され信号変換された画像データに予め設定された係数をかけ、これをフレームメモリに格納されている１フレーム前までの累積画像データに加算し、フレームメモリに格納するとともに出力する。
【先行技術文献】
【特許文献】
【０００３】
【特許文献１】特開２００５−２６１９７４号公報
【発明の概要】
【発明が解決しようとする課題】
【０００４】
しかしながら、特許文献１の蛍光内視鏡装置は、取得された画像データを過去の積算画像データに常に足し合わせるため、像ブレを十分に防止することができないという不都合がある。すなわち、明るい蛍光画像が得られた場合には、それが加算されて取得された画像データに明るい蛍光画像の影響が大きく残るので、被写体が移動していると像ブレが生じ、鮮明な蛍光画像を得ることができなかった。
【０００５】
本発明は、このような事情に鑑みてなされたものであって、蛍光画像におけるノイズ量を低減しながら蛍光画像における像ブレの発生を防止することができる蛍光内視鏡装置を提供することを目的としている。
【課題を解決するための手段】
【０００６】
上記目的を達成するために、本発明は以下の手段を提供する。
本発明は、被写体に対し、励起光および照明光を照射する照明部と、該照明部からの励起光の照射により前記被写体において発生した蛍光を撮影し蛍光画像を取得する蛍光撮像部と、該蛍光撮像部により取得された蛍光画像を記憶する記憶部と、前記照明部からの照明光の照射により前記被写体から戻る戻り光を撮影し戻り光画像を取得する戻り光撮像部と、該戻り光撮像部により取得された戻り光画像から、被写体に照射された照明光の強度を表す画像情報を抽出する画像情報抽出部と、該画像情報抽出部により抽出された画像情報に基づいて照明光の強度が高いほど少なく積算枚数を設定する積算枚数設定部と、該積算枚数設定部により設定された積算枚数分だけ前記記憶部に記憶されている蛍光画像を平均して平均画像を生成する平均画像生成部とを備える蛍光内視鏡装置を提供する。
【０００７】
本発明によれば、照明部から発せられた励起光が被写体に照射されると、被写体内に含まれる蛍光物質が励起されて発生した蛍光が蛍光撮像部によって撮影され、蛍光画像が取得される。そして、取得された蛍光画像は順次記憶部により記憶される。
また、照明部から発せられた照明光が被写体に照射されると、被写体から戻る戻り光が戻り光撮像部によって撮影され、戻り光画像が取得される。そして、取得された戻り光画像から被写体に照射された照明光の強度を表す画像情報が画像情報抽出部により抽出される。
【０００８】
同一の照明部から励起光および照明光を同一の被写体に照射するので、被写体に照射される照明光の強度と励起光の強度とは対応している。つまり、被写体に照射される照明光の強度が高いと励起光の強度も強く、照明光の強度が低いと励起光の強度も弱い。そこで、画像情報抽出部により戻り光画像から被写体に照射された照明光の強度を表す画像情報を抽出することにより、蛍光撮像部により蛍光画像が取得された際に被写体に照射された励起光の強度を推測することができる。
【０００９】
そして、抽出された画像情報に応じて積算枚数設定部により設定された積算枚数分だけ記憶部に記憶された蛍光画像が積算されて平均されることにより、平均画像が生成される。
この場合において、照明光の強度が高いほど平均画像を算出する際の蛍光画像の積算枚数が低減させられるので、ノイズの少ない明るい蛍光画像は少ない積算枚数で積算され、積算枚数が多いために起こる像ブレを低減することができる。一方、照明光の強度が低いときに積算枚数が増加させられるので、多く積算されても像ブレが目立ちにくい暗い蛍光画像は多くの積算枚数で積算され、取得される平均画像に含まれるノイズを十分に低減することができる。
【００１０】
上記発明においては、前記画像抽出部が前記戻り光画像内の複数の画素の平均階調値を前記画像情報として抽出してもよい。
戻り光画像内の複数の画素の平均階調値が低いときは、照明部と被写体との距離が遠い場合であるので、被写体に照射される励起光の強度も低い。この場合に取得される蛍光画像は、被写体内に蛍光物質が存在していてもノイズを多く含む暗い蛍光画像となるため、積算枚数を多く設定することでノイズ低減効果を向上し、鮮明な画像を得ることができる。
【００１１】
一方、戻り光画像内の複数の画素の平均階調値が高いときは、照明部と被写体との距離が近い場合であるので、被写体に照射される励起光の強度も強い。この場合に取得される蛍光画像は、被写体内に蛍光物質が存在していればノイズの少ない明るい蛍光画像となるため、積算枚数を少なく設定することで像ブレを低減することができ、演算に要する処理や時間を節約することができる。
【００１２】
また、上記発明においては、前記画像抽出部が前記戻り光画像の隣接画素の階調値が所定の閾値を超えて変化している箇所を表す特徴線の延長を抽出することで、前記被写体に照射された照明光の強度を表す前記画像情報を抽出してもよい。
戻り光画像において隣接画素の階調値が所定の閾値を超えて変化している箇所を表す特徴線は、被写体の形状変化、特に、起伏を示している。特徴線の延長が長いときは、照明部を被写体の起伏がより多く見える方向（例えば、被写体が体腔である場合に体腔表面に沿う方向）に向けている状態である。したがって、視野範囲内に照明部からの距離が遠い領域が多く存在し、被写体に照射される励起光の強度も低くなる。このため、蛍光物質が存在していても暗い蛍光画像となるので、積算枚数を多く設定することでノイズ低減効果が上がり、鮮明な画像を得ることができる。
【００１３】
一方、特徴線の延長が短いときは、照明部を被写体の起伏のより少なく見える方向（例えば、被写体が体腔である場合に体腔壁面に向かう方向）に向けている状態である。したがって、視野範囲内に照明部からの距離が遠い領域が存在せず、被写体に照射される励起光の強度も高くなる。このため、蛍光物質が存在していればノイズの少ない明るい蛍光画像が得られるので、積算枚数を少なく設定することで像ブレを低減することができる。また、積算枚数を少なくすることで、演算に要する処理や時間を節約することができる。
【００１４】
また、上記発明においては、前記画像情報抽出部が前記戻り光画像を横切る直線に沿う階調値分布を前記画像情報として抽出してもよい。
また、上記発明においては、前記画像情報抽出部が、前記戻り光画像を横切る複数の直線に沿う階調値分布を平均して前記画像情報として抽出してもよい。
照明部を平坦な被写体に対向させているときには戻り光画像の中心付近の階調値が最も高くなるのが一般的である。したがって、戻り光画像の中心付近の階調値が低くなるような階調値分布となるときは、中央部分が遠くなる被写体、例えば、被写体が体腔である場合には体腔表面に沿う方向に照明部を向けた状態であり、照明部から被写体まで遠いため戻り光画像が暗くなるので、被写体に照射される励起光の強度も低くなる。この場合には積算枚数を多く設定することでノイズ低減効果が上がり、鮮明な画像を得ることができる。
【００１５】
一方、戻り光画像の中心付近の階調値が高くなるような階調値分布となるときは、例えば、被写体が体腔である場合に体腔壁面に向かう方向に照明部を向けた状態であり、照明部から被写体まで近いため戻り光画像が明るくなるので、被写体に照射される励起光の強度も高くなる。この場合には、積算枚数を少なく設定することで像ブレを低減することができる。また、積算枚数を少なくすることで、演算に要する処理や時間を節約することができる。
この場合に、複数の直線に沿う階調値分布を平均することにより、戻り光画像上における、より広い範囲の平均的な階調値分布によって、より正確に照明部の方向を判定することができる。
【００１６】
また、上記発明においては、前記蛍光撮像部により取得された一の蛍光画像と該一の蛍光画像より以前に取得された他の蛍光画像との変化量を算出する変化量算出部を備え、前記記憶部が前記変化量算出部により算出された変化量が少ないほど、大きな重み係数を前記一の蛍光画像に乗算して前記蛍光画像を記憶してもよい。
このようにすることで、過去の蛍光画像に対する変化量が小さいときは、取得された蛍光画像に大きな重み係数を乗算することで平均画像内における寄与率を高め、ノイズ低減効果を向上することができる。
一方、変化量が大きいときは、小さな重み係数を乗算することで平均画像内における寄与率を低くし、像ブレを低減することができる。
【００１７】
また、上記発明においては、前記変化量算出部が、前記一の蛍光画像と前記他の蛍光画像との差分画像の階調値の合計を変化量として算出してもよい。
２枚の蛍光画像間の同一位置における画素毎の階調値の差の合計が小さいときは、照明部と被写体との距離が大きく変化していない状態である。したがって、重み係数を大きくすることで平均画像内における寄与率を高め、鮮明な画像が得られるとともに、ノイズ低減効果を向上することができる。
一方、２枚の蛍光画像間の同一位置における画素毎の階調値の差の合計が大きいときは、照明部と被写体との距離が大きく変化した状態である。したがって、重み係数を小さくすることで平均画像内における寄与率を少なくし、像ブレを低減させることができる。
【００１８】
また、上記発明においては、前記変化量算出部が、前記一の蛍光画像の特徴線の延長と前記他の蛍光画像間の特徴線の延長との差を変化量として算出してもよい。
２枚の蛍光画像間の特徴線の延長の差が小さいときは、被写体が大きく移動していない状態であり、蛍光画像間の状態変化が小さい。したがって、重み係数を大きくすることで平均画像内における寄与率を高め、ノイズ低減効果を向上することができる。
一方、２枚の蛍光画像間の特徴線の延長の差が大きいときは、被写体が大きく移動した状態であり、蛍光画像間の状態変化が大きい。したがって、重み係数を小さくすることで平均画像内における寄与率を少なくし、像ブレを低減させることができる。
【００１９】
また、上記発明においては、前記変化量算出部が、前記一の蛍光画像と前記他の蛍光画像間との差分画像の階調値の合計が閾値以下のとき、前記一の蛍光画像間の特徴線と前記他の蛍光画像の特徴線との差を変化量として算出してもよい。
前記一の蛍光画像と前記他の蛍光画像間の差分画像の階調値の合計が閾値以下のときは、前記２枚の蛍光画像間において被写体が大きく移動していない状態である。さらに、この状態での２枚の差分画像における特徴線間の移動量から重み係数を算出することで、画像間の状態を精度良く判断し、より適切な重み係数を算出することができる。  
【発明の効果】
【００２０】
本発明によれば、蛍光画像におけるノイズ量を低減しながら蛍光画像における像ブレの発生を防止することができるという効果を奏する。
【図面の簡単な説明】
【００２１】
【図１】本発明の第１の実施形態に係る蛍光内視鏡装置を示す全体構成図である。
【図２】図１の蛍光内視鏡装置において積算枚数を設定するための、平均階調値が大きいほど積算枚数が少なくなる単調増加関数の一例を示す図である。
【図３】図１の蛍光内視鏡装置に備えられるフィルタターレットの分光透過特性を示す図である。
【図４】図１の蛍光内視鏡装置の画像処理部を示す図である。
【図５】本発明の第２の実施形態に係る蛍光内視鏡装置の画像処理部を示す図である。
【発明を実施するための形態】
【００２２】
本発明の第１の実施形態に係る蛍光内視鏡装置１について、図面を参照して以下に説明する。
本実施形態に係る蛍光内視鏡装置は、図１に示されるように、体内に挿入される細長い挿入部２と、光源（照明部）３と、該光源３からの励起光および照明光を挿入部２の先端から被写体Ａに向けて照射する照明ユニット（照明部）４と、挿入部２の先端に設けられ、被写体Ａである生体組織の画像情報を取得する撮像ユニット５と、挿入部２の基端側に配置され、撮像ユニット５により取得された画像情報を処理するプロセッサ６と、該プロセッサ６により処理された画像Ｇを表示するモニタ２４とを備えている。
【００２３】
光源３は、励起光および照明光を含む波長帯域（４００〜７４０ｎｍ）の光を放射するキセノンランプ７と、該キセノンランプ７の照明光路上に設けられ透過波長を制限する複数のフィルタ８ａ〜８ｄを備えるフィルタターレット８と、各フィルタ８ａ〜８ｄにより切り出された励起光および照明光を集光するカップリングレンズ９とを備えている。フィルタターレット８は、モータ１０により回転駆動され、該モータ１０は後述するタイミング制御部１１により一定の回転速度に制御されるようになっている。
【００２４】
フィルタターレット８は、Ｒフィルタ８ａ，Ｇフィルタ８ｂ，Ｂフィルタ８ｃおよびＩＲフィルタ８ｄの４つのフィルタ８ａ〜８ｄを周方向に配列して備えている。このフィルタターレット８は中心の回転軸回りに回転させられることで、戻り光観察時には光路上に、Ｒフィルタ８ａ、Ｇフィルタ８ｂまたはＢフィルタ８ｃを配置し、蛍光観察時には、光路上にＩＲフィルタ８ｄを配置するようになっている。
【００２５】
これらＲフィルタ８ａ、Ｇフィルタ８ｂ、Ｂフィルタ８ｃおよびＩＲフィルタ８ｄの透過特性を図３に示す。Ｒフィルタ８ａ、Ｇフィルタ８ｂ、Ｂフィルタ８ｃは、それぞれ赤、緑、青の波長成分を透過し、ＩＲフィルタ８ｄは、励起光成分を透過する特性を有する。
【００２６】
照明ユニット４は、挿入部２の長手方向のほぼ全長にわたって配置され、カップリングレンズ９によって集光された励起光および照明光を導光するライトガイドファイバ１２と、挿入部２の先端に設けられ、ライトガイドファイバ１２によって導光されてきた励起光および照明光を拡散させて、挿入部２の先端面２ａに対向する被写体Ａに照射する照明光学系１３とを備えている。
【００２７】
撮像ユニット５は、被写体Ａの所定の観察範囲から戻る光を集光する対物レンズ１４と、該対物レンズ１４により集光された戻り光の光量を制限する絞り手段としての液晶絞り部１５と、該液晶絞り部１５によって制限された戻り光を集光する集光レンズ１６と、該集光レンズ１６によって集光された光のうち、励起波長以上の光を遮断し、蛍光成分と戻り光成分を透過する励起光カットフィルタ１７と、該励起光カットフィルタ１７を透過した蛍光および戻り光を撮影するＣＣＤのような撮像素子１８とを備えている。液晶絞り部１５は、電圧を印加した状態では光を通さず、電圧を印加しない状態では光を透過するという性質を有する。
【００２８】
プロセッサ６は、撮像素子１８で光電変換された画像信号を増幅するプリアンプ１９およびＡ／Ｄ変換部２１を有している。Ａ／Ｄ変換部２１によりＡ／Ｄ変換された画像信号は、戻り光画像情報Ｓ１および蛍光画像情報Ｓ２として画像処理部２２に入力され、該画像処理部２２において画像処理されるようになっている。画像処理部２２において画像処理された戻り光画像情報Ｓ１および平均蛍光画像情報Ｓ３は、Ｄ／Ａ変換部２３においてＤ／Ａ変換され、モニタ２４に出力されるようになっている。
【００２９】
また、このプロセッサ６は、フィルタターレット８、データバッファ２５および液晶絞り部１５を制御するタイミング制御部１１を備えている。タイミング制御部１１はフィルタターレット８の回転とデータバッファへのデータの振り分けおよび液晶絞り部による絞りの度合を同期して制御するようになっている。すなわち、光量の大きな戻り光観察時には液晶絞り部を閉じて減光し、光量の小さな蛍光観察時には液晶絞り部を開いて、できるだけ多くの蛍光を受光できるように制御される。
【００３０】
図４に示されるように、画像処理部２２は、Ａ／Ｄ変換された画像情報Ｓ１，Ｓ２を一時的に記憶するデータバッファ２５（以下、Ｒ用バッファ２５ａ、Ｇ用バッファ２５ｂ、Ｂ用バッファ２５ｃ、ＦＬ用バッファ２５ｄという。）と、Ｒ用バッファ２５ａ、Ｇ用バッファ２５ｂ、Ｂ用バッファ２５ｃから出力された戻り光画像情報Ｓ１の平均階調値Ｓ５を抽出する画像情報抽出部２６と、画像情報抽出部２６により抽出した平均階調値Ｓ５に基づいて蛍光画像の積算枚数Ｓ６を設定する積算枚数設定部２７と、ＦＬ用バッファから出力された蛍光画像情報Ｓ２を順次記憶する記憶部２８と、記憶部２８に記憶された積算枚数Ｓ６分の蛍光画像情報Ｓ４を平均して平均蛍光画像情報Ｓ３を生成する平均画像生成部２９とを備えている。
【００３１】
また、画像情報抽出部２６は、Ｒ用バッファ２５ａ、Ｇ用バッファ２５ｂ、Ｂ用バッファ２５ｃの内のいずれかから出力された戻り光画像情報Ｓ１を選択して平均階調値Ｓ５を抽出するようになっている。本実施形態においては、画像情報抽出部２６は、例えば、Ｒ用データバッファ２５ａから出力された戻り光画像情報Ｓ１’を用いて平均階調値Ｓ５を算出するようになっている。
ここで、本実施形態においては、積算枚数設定部２７は、図２に示されるように、画像情報抽出部２６において算出された平均階調値Ｓ５が高いほど少なく積算枚数Ｓ６を設定するような関数を記憶している。
【００３２】
この関数は、標準試料等を撮影して得られた戻り光画像の平均階調値Ｓ５と、平均蛍光画像が精度よく得られるときの積算枚数Ｓ６との関係から予め得られたものである。戻り光画像が明るいほど励起光の強度が高いので、積算枚数Ｓ６が多いことによる像ブレを軽減するために、図２に示されるように、平均階調値Ｓ５が高いほど積算枚数Ｓ６が少なくなる単調減少関数となっている。
【００３３】
また、記憶部２８は、ＦＬ用バッファから入力されてきた蛍光画像情報Ｓ２を時系列に記憶するリングバッファである。そして、記憶部２８は、平均画像生成部２９からの要求に応じて、積算枚数設定部２７により生成された積算枚数Ｓ６に基づいて、積算枚数Ｓ６分の蛍光画像情報Ｓ４を平均画像生成部２９に出力するようになっている。
【００３４】
平均画像生成部２９は、積算枚数設定部２７により設定された積算枚数Ｓ６を記憶部２８に送り、記憶部２８に記憶されている蛍光画像情報の内、最新のものから遡って積算枚数Ｓ６分の蛍光画像情報Ｓ４の出力を要求するようになっている。そして、平均画像生成部２９においては、要求に応じて記憶部２８から取り出された積算枚数Ｓ６分の蛍光画像情報Ｓ４が積算された後、積算枚数Ｓ６によって除算されることにより平均蛍光画像Ｓ３が生成されるようになっている。
【００３５】
このように構成された本実施形態に係る蛍光内視鏡装置１の作用について以下に説明する。
本実施形態に係る蛍光内視鏡装置１を用いて被写体Ａである体内の生体組織の観察を行うには、体内に挿入部２を挿入して、挿入部２の先端面２ａを被写体Ａに対向させる。そして、光源３を作動させる。
【００３６】
光源３から発せられた光は、フィルタターレット８の各フィルタ８ａ〜８ｄを透過することにより、励起光または照明光となる。すなわち、各フィルタ８ａ〜８ｄは、図３に示される透過率特性を有しているので、Ｒフィルタ８ａ、Ｇフィルタ８ｂ、Ｂフィルタ８ｃを透過させられることにより、赤、緑、青色の照明光となり、ＩＲフィルタ８ｄを透過させられることにより、赤外領域の励起光となる。照明光または励起光となった光は、その後、カップリングレンズ９によってライトガイドファイバ１２に入射させられる。ライトガイドファイバ１２内を導光されて挿入部２の先端に達した励起光および照明光は、挿入部先端２ａの照明光学系１３によって拡散されて被写体Ａに照射される。
【００３７】
励起光が被写体Ａに照射されたときには、被写体Ａ内部に含まれている蛍光物質が励起されることにより蛍光が発せられる。一方、照明光が被写体Ａに照射されたときには、照射された照明光は被写体Ａの表面において反射させられる。蛍光および照明光の戻り光は、被写体Ａから挿入部２の先端面２ａに戻り、対物レンズ１４によって集光される。
【００３８】
対物レンズ１４によって集光された蛍光および可視光は、液晶絞り部１５によって制限された後に集光レンズ１６によって集光され、励起光カットフィルタ１７を経て撮像素子１８により撮影される。
したがって、撮像素子１８には、フィルタターレット８の位置に応じて、赤、緑、青色の可視光、あるいは赤外の蛍光のいずれかが受光される。撮像素子１８は、図示しない撮像素子駆動回路によってフィルタターレット８の回転に同期して駆動され、それぞれ戻り光画像および蛍光画像を表す電気信号を取得する。
【００３９】
撮像素子１８により取得された戻り光画像および蛍光画像を表す電気信号は、プロセッサ６のプリアンプ１９に入力されて増幅された後、画像信号はＡ／Ｄ変換部２１に入力され、アナログ信号からデジタル信号に変換される。
【００４０】
デジタル化された画像信号は、その種類に応じて画像処理部２２内のＲ用バッファ２５ａ、Ｇ用バッファ２５ｂ、Ｂ用バッファ２５ｃまたはＦＬ用バッファ２５ｄに入力される。データバッファ２５は、タイミング制御部１１からの制御信号に基づき、フィルタターレット８のＲフィルタ８ａ挿入時にはＲ用バッファ２５ａに、Ｇフィルタ８ｂ挿入時にはＧ用バッファ２５ｂに、Ｂフィルタ８ｃ挿入時にはＢ用バッファ２５ｃに、ＩＲフィルタ８ｄ挿入時にはＦＬ用バッファ２５ｄに信号を切り替えて入力する。
【００４１】
Ｒ用バッファ２５ａ、Ｇ用バッファ２５ｂまたはＢ用バッファ２５ｃに入力された戻り光画像情報Ｓ１は、Ｄ／Ａ変換部２３および画像情報抽出部２６に送られる。画像情報抽出部２６においては、Ｒ用バッファ２５ａから出力された戻り光画像情報Ｓ１’を用いて、戻り光画像の全画素における階調値が加算平均されて、平均階調値Ｓ５が算出され、積算枚数設定部２７に出力される。
【００４２】
積算枚数設定部２７では、画像情報抽出部２６から入力された平均階調値Ｓ５を、予め記憶されている関数に当てはめて、積算枚数Ｓ６が設定され、記憶部２８に出力される。
記憶部２８には、ＦＬ用バッファ２５ｄに入力された蛍光画像信号Ｓ２が時系列に記憶される。そして、積算枚数設定部２７から入力されてきた積算枚数Ｓ６分だけ、記憶部２８に記憶されていた蛍光画像情報Ｓ４が平均画像生成部２９に出力される。
【００４３】
平均画像生成部２９では、記憶部２８から積算枚数Ｓ６分の蛍光画像情報Ｓ４が入力され、これらの蛍光画像情報Ｓ４を平均して得られた平均蛍光画像情報Ｓ３がＤ／Ａ変換部２３に出力される。
そして、Ｄ／Ａ変換部２３においては、生成された平均蛍光画像情報Ｓ３と、Ｒ用バッファ２５ａ、Ｇ用バッファ２５ｂ、Ｂ用バッファ２５ｃから出力された戻り光画像情報Ｓ１とが入力され、Ｄ／Ａ変換されて、戻り光画像Ｇ１と平均蛍光画像Ｇ２がモニタ２４に出力される。
【００４４】
モニタ２４に表示させる際は、図１に示されるように、戻り光画像Ｇ１と平均蛍光画像Ｇ２とを並列にしてもよいし、重ねてもよい。また、戻り光画像Ｇ１は、Ｇ用バッファ２５ｂまたはＢ用バッファ２５ｃの戻り光画像情報であってもよい。
【００４５】
この場合において、本実施形態に係る蛍光内視鏡装置１によれば、戻り光画像の全画素における階調値を加算平均した平均階調値Ｓ５を用いて蛍光画像の積算枚数Ｓ６が設定される。平均階調値Ｓ５は、高いほど積算枚数Ｓ６が少なく設定されているので、平均画像生成部２９により生成される平均蛍光画像Ｓ３における像ブレを低減することができる。
【００４６】
すなわち、戻り光画像の平均階調値Ｓ５が高いときは、照明部４と被写体Ａとを近接させたり、対向させたりしているときであり、被写体Ａに照射される励起光の強度も高くなっている。
したがって、戻り光画像の平均階調値Ｓ５が高いときは、積算枚数Ｓ６を少なく設定することにより、階調値が高くＳ／Ｎ比の良好な蛍光画像情報Ｓ２が多数枚にわたって積算されることを防止して、平均蛍光画像Ｓ３に像ブレが発生することを防止することができる。
【００４７】
一方、戻り光画像の平均階調値Ｓ５が低いときは、照明部４と被写体Ａとの距離が遠いときであり、被写体Ａに照射される励起光の強度も低くなっている。そのため、積算枚数Ｓ６を多く設定することにより、階調値が低くＳ／Ｎ比の低い蛍光画像情報Ｓ２を多く積算して、ノイズを低減することができる。この場合には、多くの蛍光画像情報Ｓ２を積算しても、各蛍光画像情報Ｓ２の階調値が低いため、平均蛍光画像Ｓ３内に像ブレが残る可能性が低い。
【００４８】
すなわち、本実施形態に係る蛍光内視鏡装置１によれば、戻り光画像の平均階調値Ｓ５が低いときも高いときも、ノイズが少なく像ブレの少ない鮮明な平均蛍光画像Ｓ３を得ることができるという利点がある。
【００４９】
なお、本実施形態においては、積算枚数Ｓ６を設定する際、画像情報抽出部２６において戻り光画像の全画素における階調値を加算平均した平均階調値Ｓ５を抽出することとしたが、戻り光画像の隣接画素の階調値が所定の閾値を超えて変化している特徴線の延長を抽出することにしてもよい。特徴線は、例えば、画素値の変化の大きさを計算し２軸方向の勾配を見積もるなどして抽出することができる。このようにすることで、被写体Ａの表面の凹凸の境界を連続する曲線として得られ、画像の構造的属性を抽出することができる。
【００５０】
つまり、被写体Ａの形状変化や被写体Ａと照明部４の照射角度等により、画像の明るさが所定の閾値を超えて変化している箇所を特徴線として抽出し、特徴線の延長が長いときは、被写体Ａの起伏が多く存在するときであり、被写体Ａが体腔である場合などに体腔表面に沿う方向に照明部４を向けている状態である。一方、特徴線の延長が短いときは、被写体Ａの起伏が少ないときであり、被写体Ａが体腔である場合などに体腔壁面に向かう方向に照明部４を向けている状態である。
【００５１】
そして、積算枚数設定部２７において平均階調値Ｓ５が高いほど積算枚数Ｓ６が少なくなるようになっている関数を用いることに代えて、画像情報抽出部２６により抽出した特徴線の延長が長いほど積算枚数Ｓ６が多くなる関数を用いて積算枚数Ｓ６を設定することにしてもよい。
このようにすることで、特徴線の延長を用いて定めた積算枚数Ｓ６により、平均階調値Ｓ５を用いる場合と同様の効果を得ることができる。
【００５２】
また、本実施形態においては、積算枚数Ｓ６を設定する際、画像情報抽出部２６において戻り光画像の全画素における階調値を加算平均した平均階調値Ｓ５を抽出することとしたが、戻り光画像を横切る直線に沿う階調値分布（プロファイル）を抽出することにしてもよい。戻り光画像を横切る直線に沿う階調値分布は、例えば、全画素の階調値を縦軸に階調値強度、横軸に位置情報を表すと、分布形状により照明部４と被写体Ａとの状態を求めることができる。
【００５３】
照明部４を平坦な被写体Ａに対向させているときは、戻り光画像の中心付近の階調値が最も高くなるのが一般的である。したがって、戻り光画像の中心付近の階調値が低くなるときは、被写体Ａが体腔である場合などに体腔表面に沿う方向に照明部４を向けている状態であり、中央部分は照明部４から被写体Ａまでが遠くなるために、戻り光画像が暗くなる。
一方、戻り光画像の中心付近の階調値が高いときは、被写体Ａが体腔である場合などに体腔壁面に向かう方向に照明部４を向けている状態であり、中心部分は照明部４から被写体Ａまで近いため、戻り光画像が明るくなる。
【００５４】
そして、積算枚数設定部２７においては、画像情報抽出部２６により抽出した戻り光画像の中心付近の階調値分布が低いときほど積算枚数Ｓ６が多くなる関数を用いて積算枚数Ｓ６を設定することにしてもよい。
ここで、戻り光画像を横切る直線としては、１本の直線を用いてもよいし、複数本の異なる直線を用いてもよい。複数本の直線に沿う階調値分布の平均値を抽出することにより、画像上のより広い範囲における平均的な階調値分布によって、積算枚数Ｓ６を設定することができる。また、各画素列毎の階調値分布を全ての画素列について平均することにしてもよい。
【００５５】
また、本実施形態においては、積算枚数Ｓ６を設定する際、画像情報抽出部２６において戻り光画像の全画素における階調値を加算平均した平均階調値Ｓ５を抽出することとしたが、さらに平均階調値Ｓ５を抽出した後に、戻り光画像の階調値が不連続に変化している特徴線の延長または戻り光画像を横切る直線に沿う階調値分布を抽出し、積算枚数設定部２７において体腔表面に沿う方向に照明部４を向けている状態か、体腔壁面に向かう方向に照明部４を向けている状態かに応じて積算枚数Ｓ６を設定することにしてもよい。
【００５６】
また、本実施形態においては、蛍光画像の積算枚数Ｓ６を算出する際、図２に示すような関数を例示したが、これに代えて、単調減少関数であれば、他の任意の関数を採用してもよい。また、関数として計算式を記憶しておいてもよいし、積算枚数Ｓ６と平均階調値Ｓ５との対応関係を示すマップを記憶しておいて、積算枚数Ｓ６を設定することにしてもよい。
【００５７】
また、本実施形態においては、画像情報抽出部２６で戻り光画像の画像情報を抽出する際に、階調値が閾値以下である画素を用いて、画像情報を抽出してもよい。このようにすることで、飽和している画素を考慮しないで済み、平均階調値Ｓ５が高くなることを防ぐことができる。
また、本実施形態においては、積算枚数設定部２７で関数を用いて蛍光画像の積算枚数Ｓ６を求める際に、関数の傾きをｎ倍（ｎは自然数とする）して積算枚数Ｓ６を調整することにしてもよい。
【００５８】
次に、本発明の第２の実施形態に係る蛍光内視鏡装置について以下に説明する。
本実施形態の説明において、上述した第１の実施形態に係る蛍光内視鏡装置１と構成を共通とする箇所には同一符号を付して説明を省略する。なお、本実施形態に係る蛍光観察装置は、図５に示されるように、画像処理部３１において第１の実施形態に係る蛍光観察装置１と相違している。
【００５９】
図５に示されるように、ＦＬ用バッファ２５ｄと記憶部２８との間に変化量算出部３２と画像保存部３３とを備えている。
変化量算出部３２は、ＦＬ用バッファ２５ｄから入力されてくる最新の蛍光画像情報Ｓ２を画像保存部３３に出力するとともに、画像保存部３３から過去に保存した蛍光画像情報Ｓ７を取り出し、最新の蛍光画像情報Ｓ２との階調値の差分を算出し、予め記憶されているテーブルから重み係数を抽出して最新の蛍光画像情報Ｓ２に重み係数を乗算するようになっている。
【００６０】
また変化量算出部３２は、過去に保存した蛍光画像情報Ｓ７と最新の蛍光画像情報Ｓ２との階調値の差の合計が大きいほど重み係数が小さくなるように設定している。
すなわち、差分画像の階調値の差が大きいときは、被写体Ａが大きく移動しているので、積算するときに像ブレが発生する。そのため、重み係数を小さくすることで、平均蛍光画像内における寄与率を少なくし、像ブレを低減することができる。
一方、差分画像の階調値の差が小さいときは、被写体Ａが大きく移動していないので、重み係数を大きくすることで平均蛍光画像内における寄与率を高め、画像を鮮明にするとともにノイズ低減効果を向上することができる。
【００６１】
記憶部２８は、積算枚数設定部２７により出力された積算枚数Ｓ６分だけ、記憶していた重み係数が乗算された蛍光画像情報Ｓ８を取り出し、積算枚数Ｓ６分の蛍光画像情報Ｓ４を平均画像生成部２９に出力するようになっている。
【００６２】
画像保存部３３に予め記憶されているテーブルは、差分画像の階調値の差と重み係数との関係から予め得られたものである。差分画像の差が大きいときほど被写体Ａが大きく移動しているので、平均蛍光画像の寄与率が大きいことによる像ブレを軽減するため、差分画像の差が大きいほど重み係数が小さくなるようになっている。
【００６３】
このように構成された本実施形態に係る蛍光内視鏡装置によれば、被写体Ａが大きく移動したときも大きく移動していないときも、ノイズが少なく像ブレが少ない鮮明な平均蛍光画像が得られるという利点がある。
【００６４】
なお、本実施形態においては、画像保存部３３から過去に保存した蛍光画像情報Ｓ７を取り出し、最新の蛍光画像情報Ｓ２との階調値の差分の合計を算出することとしたが、過去の蛍光画像情報Ｓ７の特徴線の延長と最新の蛍光画像情報Ｓ２の特徴線の延長との差を算出することにしてもよい。
【００６５】
すなわち、差分画像の特徴線間の移動量が少ないときは、被写体Ａが大きく移動していないので、重み係数を大きくすることで平均蛍光画像内における寄与率を高め、ノイズを低減することができる。一方、差分画像の特徴線間の移動量が多いときは、被写体Ａが大きく移動しているので、重み係数を小さくすることで平均蛍光画像内における寄与率を少なくし、像ブレを低減することができる。
【００６６】
また、本実施形態においては、変化量算出部３２は、変化量算出部３２が過去の蛍光画像情報Ｓ７と最新の蛍光画像情報Ｓ２との差分画像の階調値の合計が閾値以下のとき、蛍光画像間の特徴線の移動量を算出し、予め記憶されているテーブルから重み係数を抽出して最新の蛍光画像情報に重み係数を乗算することにしてもよい。このようにすることで、ノイズの多い画像を積算対象から外し、精度の良い平均蛍光画像を算出することができる。
【００６７】
また、本実施形態においては、重み係数が０のときは蛍光画像に乗算せずに、Ｄ／Ａ変換部に出力することにしてもよい。
このようにすることで、被写体が大きく移動した場合などに、平均蛍光画像を積算する際に起こる像ブレを防ぐことができる。
【００６８】
また、本実施形態においては、平均画像生成部２９で出力される平均蛍光画像情報Ｓ３を用いてＤ/Ａ変換部２３を経て平均蛍光画像Ｇ２が生成される際、生成される平均蛍光画像Ｇ２の階調値がｍ（ｍは自然数とする）となるように、平均画像生成部２９で平均蛍光画像情報Ｓ３を調整してもよい。このようにすることで、生成される平均蛍光画像Ｇ２の明るさが統一され、精度の高い観察を行うことができる。
【００６９】
また、上記各実施形態においては、画像情報抽出部２６においてＲ用バッファ２５ａからの戻り光画像情報Ｓ１’を例示して説明したが、これに限定されるものではなく、他のバッファからの戻り光画像情報を適用することにしてもよい。
【符号の説明】
【００７０】
Ａ  被写体
Ｓ５  画像情報（平均階調値）
１  蛍光観察装置
３  光源（照明部）
４  照明ユニット（照明部）
１８  撮像素子（戻り光撮像部，蛍光撮像部）
２６  画像情報抽出部
２７  積算枚数設定部
２８  記憶部
２９  平均画像生成部
３２  変化量算出部
【図１】
0005714875.tif 000002
【図２】
0005714875.tif 000003
【図３】
0005714875.tif 000004
【図４】
0005714875.tif 000005
【図５】
0005714875.tif 000006